(57)【要約】【課題】基台を二重構造として成形時のひけが露出しないように覆い強度が大きく、安定性を高めることのできる扇風機を得ることを目的とする。【解決手段】基台６は上下に分離可能に結合される基台カバー部７と基台ベース部８からなり、基台カバー部７を、基台ベース部８を覆うように合成樹脂成形品で形成し、基台カバー部７と基台ベース部８の間に操作手段１９を設けることにより、基台ベース部８に成形時に表れたひけが基台カバー部７で隠されるとともに強度が大きく、安定性の高い扇風機が得られる。【選択図】図１
2005214101.tif 000002
【特許請求の範囲】
【請求項１】
扇風機主体を支持する支柱の下端に設けられる基台と、この基台の裏面を覆う底板とを備え、前記基台は上下に分離可能に結合した基台カバー部と基台ベース部からなり、前記基台カバー部を、前記基台ベース部を覆うように形成した扇風機。
【請求項２】
基台カバー部と基台ベース部を合成樹脂成形品で形成し、前記基台カバー部と基台ベース部の間に操作手段を収納した請求項１記載の扇風機。
【請求項３】
操作手段を、基台ベース部と基台カバー部間に設けた収納部と、この収納部に上下動可能に収納されるスイッチボタンと、このスイッチボタンの頭部が露出するように前記基台カバー部に設けた開孔部により形成した請求項２記載の扇風機。
【請求項４】
基台カバー部を透明または半透明材料で形成し、基台ベース部を透視可能とした請求項１記載の扇風機。
【請求項５】
基台ベース部の裏面に電装部品を取り付ける取付部を一体成形し、前記取付部の位置する基台ベース部に対応する基台カバー部の表面を塗装処理して形成した請求項４記載の扇風機。
【請求項６】
基台ベース部の基台カバー部を通して透視できる透視表面部を塗装処理してなる請求項４または５記載の扇風機。
【発明の詳細な説明】
【技術分野】
【０００１】
本発明は、扇風機主体を支持する支柱と基台が分離可能な扇風機に関する。
【背景技術】
【０００２】
従来、この種の扇風機として支柱と基台が分離できるものが知られている（例えば特許文献１参照）。
【０００３】
以下、その扇風機について図６および図７を参照しながら説明する。
【０００４】
図に示すように、支柱１０１の下端には挿入部１０２を一体成形し、挿入部１０２の下端には雄ねじ部１０３を設けた保護カバー１０４が取り付けられ基台１０５には電動機１０６を運転制御する制御基板１０７を備え、上面には挿入部１０２が嵌合可能に挿入される凹部１０８を形成し、基台１０５の底面を覆う底板１０９が取り付けられ、固定ナット１１０を締め付けることにより支柱１０１を基台１０５に結合している。
【特許文献１】特許第３１３０１６４号公報（［００１２］図１、図２）
【発明の開示】
【発明が解決しようとする課題】
【０００５】
このような従来の扇風機では、支柱１０１と基台１０５は分離出来るが基台１０５は一重状態に形成されているので、基台１０５を合成樹脂で一体成形した場合には、内面に電装品等の取付部を形成してるので基台１０５の表面に成形時のひけが発生し、製品価値が低下するという課題があり、表面に成形時のひけが露出しないようにすることが要求されている。
【０００６】
また、基台１０５を樹脂成形したときには、基台１０５自体の重量が軽く、底板の重量を増やさないと安定性が悪いという課題があり、底板の重量を増やさずに、かつ基台の強度を保ち安定性を高めることが要求されている。
【０００７】
また、基台１０５の操作部１１１は上面にシートを貼付けた構造であるため、クリック操作感に欠けるという課題があり、操作性を高めることが要求されている。
【０００８】
本発明は、このような従来の課題を解決するものであり、合成樹脂製の基台表面に成形時のひけが露出せず見栄えが良く、強度を保ちつつ安定性を高め、さらに操作性を向上することのできる扇風機を提供することを目的としている。
【課題を解決するための手段】
【０００９】
本発明の扇風機は上記目的を達成するために、扇風機主体を支持する支柱の下端に設けられる基台と、この基台の裏面を覆う底板とを備え、前記基台は、上下に分離可能に結合した基台カバー部と基台ベース部からなり、前記基台カバー部を、前記基台ベース部を覆うように形成したものである。
【００１０】
この手段により、基台は基台カバー部と基台ベース部の二重構造となり強度および安定性を確保できるとともに、基台ベース部の表面ひけが露出しないようにできる扇風機が得られる。
【００１１】
また、他の手段は、基台カバー部と基台ベース部を合成樹脂成形品で形成し、前記基台カバー部と基台ベース部の間に操作手段を収納したものである。
【００１２】
この手段により、操作手段の破損がなく操作性の良い扇風機が得られる。
【００１３】
また、他の手段は、操作手段を、基台ベース部と基台カバー部間に設けた収納部と、この収納部に上下動可能に収納されるスイッチボタンと、このスイッチボタンの頭部が露出するように前記基台カバー部に設けた開孔部により形成したものである。
【００１４】
この手段により、ボタンスイッチの操作時にクリック感が得られ、操作性および高級感が増すという扇風機が得られる。
【００１５】
また、他の手段は、基台カバー部を透明または半透明材料で形成し、基台ベース部を透視可能としたものである。
【００１６】
この手段により、クリスタル感覚の色変化で、清涼感を与えることができる扇風機が得られる。
【００１７】
また、他の手段は、基台ベース部の裏面に電装部品を取り付ける取付部を一体成形し、前記取付部の位置する基台ベース部に対応する基台カバー部の表面を塗装処理して形成したものである。
【００１８】
この手段により、基台ベース部の成形時のひけが目立たなくすることができ、インテリア性を向上することができる扇風機が得られる。
【００１９】
また、他の手段は、基台ベース部の基台カバー部を通して透視できる透視表面部を塗装処理したものである。
【００２０】
この手段により、清涼感を与えることができるとともに、紫外線に対して劣化しにくい扇風機が得られる。
【発明の効果】
【００２１】
本発明によれば基台の強度および安定性を確保することができ、また、樹脂成形時のひけを隠すことができるという効果のある扇風機を提供できる。
【００２２】
また、操作性が良く、高感度を増すという効果のある扇風機を提供できる。
【００２３】
また、清涼感を与えるとともにインテリア性を向上することのできるという効果のある扇風機を提供できる。
【発明を実施するための最良の形態】
【００２４】
本発明の請求項１記載の発明は、扇風機主体を支持する支柱の下端に設けられる基台と、この基台の裏面を覆う底板とを備え、前記基台は上下に分離可能に結合した基台カバー部と基台ベース部からなり、前記基台カバー部を、前記基台ベース部を覆うように形成したものであり、基台は基台ベース部と基台カバー部の二重構造による重量増により安定性が確保でき、また、基台ベース部を主要構造部品とし電装品を収納し、強度を保つとともに、基台カバー部で基台ベース部の成形時に表面に発生したひけが覆い隠されることができるという作用を有する。
【００２５】
また、請求項２記載の発明は、基台カバー部と基台ベース部を合成樹脂成形品で形成し、前記基台カバー部と基台ベース部の間に操作手段を収納したものであり、スイッチボタンなどの別部品を収納することができ、操作性が良いという作用を有する。
【００２６】
また、請求項３記載の発明は、操作手段を、基台ベース部と基台カバー部間に設けた収納部と、この収納部に上下動可能に収納されるスイッチボタンと、このスイッチボタンの頭部が露出するように前記基台カバー部に設けた開孔部により形成したものであり、ボタンスイッチの直接操作によりクリック感が得られ、色彩や光沢の変化で高級感が増すという作用を有する。
【００２７】
また、請求項４記載の発明は、基台カバー部を透明または半透明材料で形成し、基台ベース部を透視可能としたものであり、基台ベース部の配色が基台カバー部を透かして視認できるので、従来にないクリスタル感覚の色変化で清涼感を与えることができるという作用を有する。
【００２８】
また、請求項５記載の発明は、基台ベース部の裏面に電装部品を取り付ける取付部を一体成形し、前記取付部の位置する基台ベース部に対応する基台カバー部の表面を塗装処理して形成したものであり、基台ベース部の成形時のひけが基台カバー部から透視できないように塗装することで、基台カバー部の取付用の突出した取付部を隠しひけも目立たなくできるので、インテリア性を向上することができるという作用を有する。
【００２９】
また、請求項６記載の発明は、基台ベース部の基台カバー部を通して透視できる透視表面部を塗装処理してなるものであり、基台ベース部の透視表面部を塗装してクリアな配色とすることで、基台カバー部を通した色彩は一層清涼感を与えることができる。また、紫外線に対して、合成樹脂の表面に塗装処理を施したものは材料および色彩が劣化しにくいという作用を有する。
【００３０】
以下、本発明の実施の形態について図面を参照しながら説明する。
【００３１】
（実施の形態１）
図１〜図５に示すように、ガード１により覆われた羽根２を駆動する扇風機主体３を支持する支柱４の下端部に支柱４より径大なる支持部５を設け、支柱４を支持する基台６を基台カバー部７と基台ベース部８の二重構造により形成し、基台６の下面には底板９を設け、底板９を介してナット１０により支柱４を基台６に取り付ける。
【００３２】
そして、基台ベース部８は合成樹脂で成形し、支柱４の支持部５の挿入される挿入孔１１と、挿入孔１１の近傍の裏面には制御基板１２等の電装部品１３が取り付けられる突状のリブ等よりなる取付部１４を形成し、基台ベース部８の表面の制御基板１２の対応する部分にはスイッチボタン１５の収納される凹状の収納部１６を設け、スイッチボタン１５を上下動可能に収納する。
【００３３】
また、基台カバー部７は合成樹脂で成形し、基台カバー部７には支柱４の支持部が嵌挿される嵌挿部１７と、基台ベース部８に設けられたスイッチボタン１５の頭部が露出する開孔部１８を設け、基台ベース部８を覆う形状とし、収納部１６とスイッチボタン１５および収納部１６により操作手段１９を形成し、基台カバー部７と基台ベース部８の間に収納し、ねじで結合して基台６を形成する。
【００３４】
また、基台カバー部７を透明または半透明の樹脂材料で形成し、基台ベース部８を透視可能に形成した状態で、基台ベース部８に設けた取付部１４の位置する基台ベース部８に対応する基台カバー部７の表面を塗装処理２０により塗膜を形成し、また、基台ベース部８の基台カバー部７を通して透視できる透視表面部を塗装処理２０Ａを施して構成する。
【００３５】
上記構成において、基台６は基台ベース部８と基台カバー部７の二重構造に形成され、基台ベース部８の全表面は基台カバー部７で覆われることにより重量増により安定性を確保することができ、また、基台ベース部８を主要構成部品として電装部品１３を収納して強度を保つことができるとともに、基台ベース部８の成形時に発生し表面に表れるひけが基台カバー部７で覆い隠されることとなる。
【００３６】
また、基台カバー部７と基台ベース部８を合成樹脂成形品で形成し、基台カバー部７と、基台ベース部８の間に操作手段１９を収納するように設け、操作手段１９を基台ベース部８と基台カバー部７の間に設けた収納部１６と、収納部１６に上下動可能に収納されるスイッチボタン１５と、スイッチボタン１５の頭部が露出するように基台カバー部７を設けた開孔部１８により形成したことにより、操作手段１９は、従来のシート構造に比べて破損することが少なく、操作性も良く、スイッチボタン１５の操作時にクリック感が得られ、高級感が増加できることとなる。
【００３７】
また、基台カバー部７を透明または半透明材料で形成し、基台ベース部８を透視可能とした状態で、基台ベース部８の裏面に電装部品１３を取り付けるように設けた取付部１４の位置する基台ベース部８に対応する基台カバー部７の表面を塗装処理２０を施して形成したので、基台ベース部８の配色が基台カバー部７を透かして視認できることとなり、従来にないクリスタル感覚の色変化で清涼感を与えることができる。また、基台ベース部８の成形時のひけが基台カバー部７から透視できないように塗装処理２０を施すことで基台カバー部７により取付部１４の成形時のひけも目立たなくすることができ、インテリア性を向上することができる。
【００３８】
また、基台ベース部８の基台カバー部７を通して透視できる透視表面部２１を塗装処理２０Ａを施すことにより、基台ベース部８の透視表面部を塗装してクリアな配色とすることで、基台カバー部７を通した色彩は一層清涼感を与えることができ、また、夏の強い紫外線に対して合成樹脂の表面を塗装処理することにより、材料および色彩の劣化を防ぎ、高級感を保つことができる。
【産業上の利用可能性】
【００３９】
ベース部とカバー部の二重構造により台を形成し、ベース部およびカバー部の色彩により装飾的な効果をもたらす装飾台を形成する用途にも適用できる。
【図面の簡単な説明】
【００４０】
【図１】本発明の実施の形態１の扇風機の基台の分解斜視図
【図２】同扇風機の側面図
【図３】同扇風機の基台カバー部と基台ベース部の裏面側の斜視図
【図４】同扇風機の基台の塗装処理を示す基台の斜視図
【図５】同扇風機の基台の断面図
【図６】従来の扇風機の分解斜視図
【図７】同扇風機の要部断面図
【符号の説明】
【００４１】
３      扇風機主体
４      支柱
６      基台
７      基台カバー部
８      基台ベース部
１３    電装部品
１４    取付部
１５    スイッチボタン
１６    収納部
１８    開孔部
１９    操作手段
２０    塗装処理
２０Ａ  塗装処理
【図１】
2005214101.tif 000003
【図２】
2005214101.tif 000004
【図３】
2005214101.tif 000005
【図４】
2005214101.tif 000006
【図５】
2005214101.tif 000007
【図６】
2005214101.tif 000008
【図７】
2005214101.tif 000009